(57)【特許請求の範囲】
【請求項１】
耕耘爪軸に取り付けられる取付基部から連続して延びる縦刃部及び横刃部を有し、前記縦刃部から前記横刃部にかけて回転方向と逆向きに湾曲するとともに、前記横刃部が一方側に湾曲した耕耘爪において、
前記取付基部の他方側の面から一方側に湾曲した前記横刃部の先端までの先曲げ高さが１００ｍｍ以上あり、該横刃部の一方側に湾曲した屈曲部の曲率半径が前記先曲げ高さと略同等の寸法を有することを特徴とする耕耘爪。
【請求項２】
前記横刃部の折り曲げ開始位置は、側面視における前記取付基部の中心から前記横刃部の先端までの長さを爪全長としたときに、該爪全長の取付基部側寄りの１／４付近に位置することを特徴とする請求項１に記載の耕耘爪。
【発明の詳細な説明】
【技術分野】
【０００１】
本発明は、ロータリ耕耘装置の耕耘爪軸に装着して使用する耕耘爪に関し、特に、圃場に残る稲株、藁、麦桿、草等を圃場内にすき込むのに適した耕耘爪に関する。
【背景技術】
【０００２】
耕耘爪は、一般的に耕耘作業に用いられ、耕耘爪軸に取り付けられる取付基部から連続して延びる縦刃部及び横刃部を有し、縦刃部から横刃部にかけて回転方向と逆向きに湾曲するとともに、横刃部が一方側に湾曲したものがある。
【０００３】
いわゆるナタ爪と呼ばれる特許文献１に記載の耕耘爪７０は、図３（ａ）（平面図）及び図３（ｂ）（側面図）に示すように、横刃部７１の折り曲げ開始線Ｓの位置が取付基部３の中心から横刃部７１の先端までの長さに対して先端側寄りに位置するように形成されるとともに、縦刃部７２の長さ（Ｌ１）が横刃部７１のそれ（Ｌ２）より長く形成されている。このため、縦刃部７２によって土の縦切り深さを確保しつつ側方力を確実に支持して、横刃部７１による土の抱き込みと放てきが確実になる。また横刃部７１の一方側へ湾曲する屈曲部７１ａの曲率半径Ｒが小さいので、横刃部７１のすくい面７３の面積が小さくても土の抱き込みが確保され、土の横切り負荷が小さくなって耕耘負荷を節減しながら土の放てきが確実になる。このように、耕耘爪７０は耕耘作業に適したものである。
【０００４】
【特許文献１】実開平２−８３７０１号公報（図７）
【発明の開示】
【発明が解決しようとする課題】
【０００５】
しかしながら、この従来の耕耘爪によって、圃場に存在する稲株、藁、麦桿、草等を圃場内にすき込もうとすると、これらのすき込みは不十分となる。これは、取付基部の他方側の面から一方側に湾曲する横刃部の先端までの先曲げ高さが低いため、圃場に存在する藁等の一部が残り、また横刃部によって抱き込まれた土はすき込まれた藁等の上に移動するが、横刃部の曲率半径は小さいために横刃部による土の抱き込み量が少なくなって藁等が露出する場合があると考えられるからである。さらには、長めの縦刃部分に藁等がまとわりつき、土と一緒にダンゴ状になると耕耘作業自体が不可能になる場合もありうる。
【０００６】
その結果、圃場の表面に藁等の残渣物が残り、この残渣物を処理しなければ後作業に支障が生じる場合に残渣物の焼却処理（野焼き）が行われると、煙や粉塵等が発生して拡散して周囲の環境に悪影響が及ぶという問題が生じる。
【０００７】
本発明は、藁等の残渣物を確実に圃場内にすき込んで、周囲の環境に悪影響を及ぼさない環境保全型の耕耘爪が望まれており、このような要望に応える耕耘爪を提供することを目的とする。
【課題を解決するための手段】
【０００８】
上記目的を達成するために本発明の耕耘爪は、耕耘爪軸に取り付けられる取付基部から連続して延びる縦刃部及び横刃部を有し、縦刃部から横刃部にかけて回転方向と逆向きに湾曲するとともに、横刃部が一方側に湾曲した耕耘爪において、平面視における取付基部の他方側の面から一方側に湾曲した横刃部の先端までの先曲げ高さが１００ｍｍ以上あり、該横刃部の一方側に湾曲した屈曲部の曲率半径が先曲げ高さと略同等の寸法を有することを特徴とする。
【０００９】
この発明によれば、横刃部の先曲げ高さを１００ｍｍ以上にすることにより、横刃部の基部から一方側に少なくとも１００ｍｍ以内に存在する藁等の残渣物を圃場内にすき込むことができる。また圃場に存在する稲株等が約２００ｍｍのピッチで植えられている場合、耕耘爪軸に取り付けられる耕耘爪のピッチを稲株のそれと略同等のピッチで配置して耕耘爪軸の軸方向に隣接する横刃部の湾曲方向が互いの方向に延びるようにすると、稲株や圃場に存在する藁等の残渣物を確実に圃場内にすき込むことができるともに、耕耘爪軸の軸方向に隣接する耕耘爪間に圃場の土が詰まる土抱きを防止することができる。また横刃部の一方側に湾曲した屈曲部の曲率半径を先曲げ高さと略同等の寸法にすることで、すくい角が大きくなって土の抱き込み量が増大し、この土がすき込まれた残渣物上に移動して残渣部の露出が防止される。このため、残渣物を高精度ですき込むことができる。
【００１０】
また本発明の横刃部の折り曲げ開始位置は、側面視における取付基部の中心から横刃部の先端までの長さを爪全長としたときに、該爪全長の取付基部側寄りの１／４付近に位置することを特徴とする。
【００１１】
この発明によれば、横刃部の折り曲げ開始位置が側面視における取付基部の中心から横刃部の先端までの長さを爪全長としたときに、該爪全長の取付基部側寄りの１／４付近に位置することで、耕耘爪の大部分をすき込み性の高い形状をした横刃部にすることができ、すき込み作業に適した耕耘爪を提供することができる。
【発明の効果】
【００１２】
本発明に係わる耕耘爪によれば、一方側に湾曲した横刃部の先曲げ高さが１００ｍｍ以上あり、該横刃部の一方側に湾曲した屈曲部の曲率半径が先曲げ高さと略同等の寸法を有し、横刃部の折り曲げ開始位置が側面視における取付基部の中心から横刃部の先端までの長さに対して取付基部側寄りの１／４付近に位置することにより、藁等の残渣物を確実に圃場内にすき込んで、周囲の環境に悪影響を及ぼさない環境保全型の耕耘爪を提供することができる。
【発明を実施するための最良の形態】
【００１３】
以下、本発明に係る耕耘爪について、図１及び図２を参照して説明する。尚、本実施の耕耘爪は、トラクタ装着形のサイドドライブ式又はセンタードライブ式のロータリ耕耘装置等に使用されるものである。
【００１４】
耕耘爪１は、図１（ａ）（側面図）に示すように、取付孔３ａを有して断面矩形状の取付基部３を備え、取付基部３に連接部位５を介して縦刃部１０及び横刃部２０が連続して形成されている。耕耘爪１は、取付基部３をボルト締結手段等によって耕耘爪軸６０に設けられた爪ホルダ６１に取り付けられて矢印Ａ方向に回転して耕耘作業を行う。
【００１５】
耕耘爪１は、縦刃部１０から横刃部２０にかけて回転方向と逆向きに湾曲するとともに、横刃部２０が略一定の曲率半径Ｒで一方側（紙面手前側）に湾曲して湾曲側にすくい面２１を形成している。平面視における取付基部３の他方側の面から一方側に湾曲した横刃部２０の先端までの先曲げ高さＨは１００ｍｍ以上（図面では１１５ｍｍ）あり、横刃部２０の一方側に湾曲した屈曲部２０ａの曲率半径Ｒは先曲げ高さＨと略同等の寸法（図面では１２０ｍｍ）を有している。なお、先曲げ高さＨは、耕耘爪１が設けられる耕耘ロータリの大きさや取付基部３の中心から横刃部２０の先端までの長さ（爪全長）等から決定され、１００ｍｍ以上であって１５０ｍｍ以下の範囲が好ましい。
【００１６】
このように、横刃部２０の先曲げ高さＨを１００ｍｍ以上とし、横刃部２０の屈曲部２０ａの曲率半径Ｒを先曲げ高さＨと略同等の寸法にすると、図２（側面図）に示すように、すくい面２１によって抱き込まれる土の一辺の長さＢは、二点鎖線で示す前述した従来の耕耘爪７０の場合のそれＡと比較して、大きくなり（図面では約１．７倍）、また横刃部２０の先曲げ高さも大きいので（図面では約１．８倍）、土を抱き込む量（体積）を増大させることができる（図面では約３倍）。
【００１７】
また横刃部２０の基部から一方側に少なくとも１００ｍｍ以内に存在する藁等の残渣物は、横刃部２０によって圃場内に確実にすき込まれる。さらに圃場に存在する稲株等が約２００ｍｍのピッチで植えられている場合、図１（ａ）に示す耕耘爪軸６０に取り付けられる耕耘爪１のピッチを稲株のそれと略同等のピッチに配置して耕耘爪軸６０の軸方向に隣接する横刃部２０の湾曲方向が互いの方向に向くようにすると、稲株や圃場に存在する藁等の残渣物を確実に圃場内にすき込むことができるともに、耕耘爪軸６０の軸方向に隣接する耕耘爪間に圃場の土が詰まる土抱きを防止することができる。なお、土抱きを防止するため、耕耘爪軸６０の軸方向に隣接する耕耘爪１の取付基部間の距離を１８０ｍｍ〜２００ｍｍ程度の間の任意の大きさに設定して、耕耘爪１を耕耘爪軸６０に取り付けてもよい。
【００１８】
さて、図１（ａ）及び図１（ｂ）に示すように、縦刃部１０及び横刃部２０のそれぞれの回転方向前側には略一定幅の刃縁部１０ｂ，２０ｂが形成されている。耕耘爪１が矢印Ａ方向に回転することによる耕土への切り込みは、縦刃部１０の刃縁部１０ｂから行われ、側方力を支持すると同時に雑草等の絡みつき防止を爪自体で行うようにするため、刃縁部１０ｂ，２０ｂは適正な排絡角をなすように形成されている。
【００１９】
横刃部２０の折り曲げ開始線Ｓの折り曲げ開始位置Ｐは、側面視における取付基部３の中心から横刃部２０の先端までの長さを爪全長Ｌとしたときに、この爪全長Ｌの取付基部側寄りの１／４付近に位置している。図面ではＬが１９５ｍｍに対してＰは４８ｍｍである。これによって、耕耘爪１の大部分をすき込み性のよい横刃部２０にすることができ、すき込み作業に適した耕耘爪１を提供することができる。
【００２０】
横刃部２０の先端部２０ｃは円弧状に形成されて、横刃部２０の重量が軽くなり、耕耘爪１に作用するトルクを低減している。
【００２１】
このように本発明の耕耘爪１は、横刃部２０の先曲げ高さを１００ｍｍ以上とし、且つ横刃部２０の一方側に湾曲した屈曲部２０ａの曲率半径Ｒを先曲げ高さＨと同等の寸法にすることによって、圃場に存在する藁等の残渣物のすき込み量や土の抱き込み量が増大して、藁等の残渣物を確実に圃場内にすき込むことができる。このため、圃場に残った残渣物を焼却処理して煙や粉塵等が発生して拡散して周囲の環境に悪影響を及ぼす事態を未然に防止することができ、環境保全型農業に貢献することができる。
【００２２】
［実施例］
取付基部３の中心から横刃部２０の先端までの長さ（爪全長）Ｌ：１９５ｍｍ、折り曲げ開始位置Ｐ：４８ｍｍ、横刃部２０の一方側に湾曲した屈曲部２０ａの曲率半径Ｒ：１２０ｍｍ、横刃部２０の屈曲角ε：６０°、耕耘爪１を備えた機体の前進速度Ｖ：０．４ｍ/ｓ、耕耘爪軸６０の回転速度ｎ：１８０ｒｐｍ、耕耘ピッチ：１３３ｍｍの条件の下で藁等が存在する圃場で耕耘作業を行うと、藁等が良好に圃場内にすき込まれたことを確認した。
【図面の簡単な説明】
【００２３】
【図１】本発明の一実施の形態に係わる耕耘爪を示し、同図（ａ）は耕耘爪の側面図であり、同図（ｂ）は耕耘爪の底面図である。
【図２】耕耘爪の横刃部による土の抱き込み量を説明するために耕耘爪の移動軌跡を示した側面図である。
【図３】従来の耕耘爪を示し、同図（ａ）は従来の耕耘爪の平面図であり、同図（ｂ）従来の耕耘爪の側面図である。
【符号の説明】
【００２４】
１  耕耘爪
３  取付基部
１０  縦刃部
２０  横刃部
６０  耕耘爪軸
Ｐ  折り曲げ開始位置
【図１】
0004801459.tif 000002
【図２】
0004801459.tif 000003
【図３】
0004801459.tif 000004